【手続補正書】
【提出日】平成19年4月11日(2007.4.11)
【手続補正１】
【補正対象書類名】明細書
【補正対象項目名】特許請求の範囲
【補正方法】変更
【補正の内容】
【特許請求の範囲】
【請求項１】
マークアップ言語で記述されたグラフィカルインターフェース用のデータが示す内容を表示する表示手段と、
前記表示手段による表示内容に含まれる入力欄の１つに対して、音声により情報を入力をするための音声入力手段と、
入力された前記音声に対して音声認識処理を実行し、その認識候補を作成する音声認識手段と、
前記表示内容に含まれる入力欄のうち、前記音声入力手段により入力がなされた入力欄を検出する検出手段と、
前記検出手段により検出した入力欄に対する前記データを、作成した前記認識候補に基づいて変換する変換手段と、
を備えたことを特徴とするデータ処理装置。
【請求項２】
前記検出手段により検出された入力欄が、該入力欄にテキストを入力するタイプの入力欄であった場合に、前記変換手段は、前記入力欄が、作成した前記認識候補を選択候補とする選択リストから候補を選択して入力するタイプとなるように、前記データを変換することを特徴とする請求項１に記載のデータ処理装置。
【請求項３】
前記音声認識手段は、複数の前記認識候補の各々の尤度を計算し、
前記変換手段は、前記認識候補のリストが各候補の尤度の順番に表示されるように、前記データを変換することを特徴とする請求項２に記載のデータ処理装置。
【請求項４】
前記テキストを入力するタイプから前記候補を選択して入力するタイプに変換された入力欄が、元の前記テキストを入力するタイプとなるように、変換された前記データを逆変換する手段を備えることを特徴とする請求項２に記載のデータ処理装置。
【請求項５】
前記検出手段により検出された入力欄が、予め設定された複数の項目を有する項目リストの中から選択して入力する入力欄であった場合に、前記変換手段は、前記項目リストの項目または順位が前記認識候補に基づいて変更されるように、前記データを変換することを特徴とする請求項１に記載のデータ処理装置。
【請求項６】
前記音声認識手段は、複数の前記認識候補の各々の尤度を計算し、
前記変換手段は、前記項目のリストが各候補の尤度の順番に表示されるように、前記データを変換することを特徴とする請求項５に記載のデータ処理装置。
【請求項７】
前記表示手段が前記項目のリストを表示する場合に、前記認識候補と一致する項目を他の項目よりも優先的な順番で表示するように、前記変換手段は前記データを変換することを特徴とする請求項５に記載のデータ処理装置。
【請求項８】
前記音声認識手段が、予め設定されていた前記項目の中から前記認識候補を作成することを特徴とする請求項５に記載のデータ処理装置。
【請求項９】
前記表示手段が前記項目のリストを表示する場合に、前記認識候補と一致する項目とそれ以外の項目とを識別可能に表示するように、前記変換手段は前記データを変換することを特徴とする請求項５に記載のデータ処理装置。
【請求項１０】
前記変換手段は、項目リストから選択するタイプの入力欄に音声による入力が複数回あった場合は、当該リスト中で前回の認識候補と一致する項目の表示順位を下げるように、前記データを変換することを特徴とする請求項５に記載のデータ処理装置。
【請求項１１】
前記変換手段は、項目リストから選択するタイプの入力欄に音声による入力が複数回あり、かつ、前回の認識候補と今回の認識候補に重複する候補があった場合は、当該重複する候補を今回の認識候補より削除するように、前記データを変換することを特徴とする請求項５に記載のデータ処理装置。
【請求項１２】
前記音声認識処理において前記認識候補を作成できなかった場合に、音声認識に失敗した旨を報知する手段を備えたことを特徴とする請求項１乃至１１のいずれか１項に記載のデータ処理装置。
【請求項１３】
前記報知は、音声による報知であることを特徴とする請求項１２に記載のデータ処理装置。
【請求項１４】
前記変換手段が、前記音声認識手段が認識候補を作成できなかった場合に、前記データを、音声認識に失敗した旨が表示されるように変換することを特徴とする請求項１乃至１１のいずれか１項に記載のデータ処理装置。
【請求項１５】
マークアップ言語で記述されたグラフィカルインターフェース用のデータが示す内容を表示する工程と、
前記データの表示内容に含まれる入力欄の１つに対して、音声により情報を入力をする工程と、
入力された前記音声に対して音声認識処理を実行し、その認識候補を作成する音声認識工程と、
前記表示内容に含まれる入力欄のうち、前記音声入力がなされた入力欄を検出する工程と、
検出した入力欄に対する前記データを、作成した前記認識候補に基づいて変換する工程と、
を含むことを特徴とするデータ処理方法。
【請求項１６】
マークアップ言語で記述されたデータを処理するために、コンピュータに、
前記マークアップ言語で記述されたグラフィカルインターフェース用のデータが示す内容を表示する工程と、
前記データの表示内容に含まれる入力欄の１つに対して、音声により情報を入力をする工程と、
入力された前記音声に対して音声認識処理を実行し、その認識候補を作成する音声認識工程と、
前記表示内容に含まれる入力欄のうち、前記音声入力がなされた入力欄を検出する工程と、
検出した入力欄に対する前記データを、作成した前記認識候補に基づいて変換する工程と、
を実行させるコンピュータプログラムを記録した記録媒体。
【手続補正２】
【補正対象書類名】明細書
【補正対象項目名】０００６
【補正方法】変更
【補正の内容】
【０００６】
【課題を解決するための手段】
本発明によれば、マークアップ言語で記述されたグラフィカルインターフェース用のデータが示す内容を表示する表示手段と、前記表示手段による表示内容に含まれる入力欄の１つに対して、音声により情報を入力をするための音声入力手段と、入力された前記音声に対して音声認識処理を実行し、その認識候補を作成する音声認識手段と、前記表示内容に含まれる入力欄のうち、前記音声入力手段により入力がなされた入力欄を検出する検出手段と、前記検出手段により検出した入力欄に対する前記データを、作成した前記認識候補に基づいて変換する変換手段と、を備えたことを特徴とするデータ処理装置が提供される。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
また、本発明によれば、マークアップ言語で記述されたグラフィカルインターフェース用のデータが示す内容を表示する工程と、前記データの表示内容に含まれる入力欄の１つに対して、音声により情報を入力をする工程と、入力された前記音声に対して音声認識処理を実行し、その認識候補を作成する音声認識工程と、前記表示内容に含まれる入力欄のうち、前記音声入力がなされた入力欄を検出する工程と、検出した入力欄に対する前記データを、作成した前記認識候補に基づいて変換する工程と、を含むことを特徴とするデータ処理方法が提供される。
【手続補正７】
【補正対象書類名】明細書
【補正対象項目名】００１１
【補正方法】変更
【補正の内容】
【００１１】
また、本発明によれば、マークアップ言語で記述されたデータを処理するために、コンピュータに、前記マークアップ言語で記述されたグラフィカルインターフェース用のデータが示す内容を表示する工程と、前記データの表示内容に含まれる入力欄の１つに対して、音声により情報を入力をする工程と、入力された前記音声に対して音声認識処理を実行し、その認識候補を作成する音声認識工程と、前記表示内容に含まれる入力欄のうち、前記音声入力がなされた入力欄を検出する工程と、検出した入力欄に対する前記データを、作成した前記認識候補に基づいて変換する工程と、を実行させるコンピュータプログラムを記録した記録媒体が提供される。